(57)【要約】      （修正有）【課題】小型ながらも効果的な装飾を施した掲示用具であって、視覚的刺激を通じて掲示物自体にも注目を集め、掲示物に対しての案内の役割を果たす掲示用具を提供する。【解決手段】被取付面にペーパー類などの掲示物を取り付ける取付部を有するとともに、目視できる表面部５を有する掲示用具１において、上記表面部にデザインを施したデザイン層６を設け、上記デザイン層の表面に透視可能な材料からなるトップコート層７を積層したことを特徴とする掲示用具である。【選択図】図１
0003138413.tif 000002
【実用新案登録請求の範囲】
【請求項１】
被取付面にペーパー類などの掲示物を取り付ける取付部を有するとともに、目視できる表面部を有する掲示用具において、
上記表面部にデザインを施したデザイン層を設け、上記デザイン層の表面に透視可能な材料からなるトップコート層を積層したことを特徴とする掲示用具。
【請求項２】
被取付面にペーパー類などの掲示物を取り付ける取付部を有するとともに、目視できる表面部を有する掲示用具において、
上記表面部に蓄光性蛍光材料からなるＮ層を設け、上記Ｎ層の表面にデザインを施したデザイン層を設け、上記デザイン層の表面に透視可能な紫外線硬化材料からなるトップコート層を積層したことを特徴とする掲示用具。
【請求項３】
デザイン層として押し花を設けたことを特徴とする請求項１又は２に記載の掲示用具。
【請求項４】
蓄光性蛍光材料には励起ピーク波長に３２０〜３７０ｎｍを持つ材料を用いたことを特徴とする請求項２又は３に記載の掲示用具。
【請求項５】
紫外線硬化材料には３５０〜３８０ｎｍの波長によって硬化する材料を用いたことを特徴とする請求項２から４のいずれかに記載の掲示用具。
【考案の詳細な説明】
【技術分野】
【０００１】
本考案は、ペーパー類などの掲示物を取り付ける画鋲や着磁取付具等の掲示用具に関する。
【背景技術】
【０００２】
従来、ペーパー類などの掲示物を壁や掲示板等に取り付ける掲示用具は、本来的機能からは掲示物に対して目立たないようにすること、掲示物ができるだけ隠れないようにすること、取り付けに用いられている掲示用具の体積が邪魔にならないようにすること等といった理由で、小型かつ装飾性を省いたものが提供されている。例えば画鋲は特に小型であり、その視覚的要素は、最低限取り外しの際に探しやすいように、針の基部であるボディは光を反射しやすい金属表面のままのものや、ボディが樹脂製の場合に色がついているといった範囲に限られている。
【０００３】
一方、着磁取付具は取り付けに必要な磁力などの必要性から、一般に画鋲よりは大きくなっており、また表面部が樹脂成形品で成形されて着色されているが、やはり前述の理由を考慮した簡素なものである。
【考案の開示】
【考案が解決しようとする課題】
【０００４】
概して、従来の画鋲や着磁取付具といった掲示用具の外観は無機質なものであって、掲示用具は一般に室内、特にオフィスなどで用いられることも多いため、こうした外観は人工的な空間である室内の視覚面に無機質さを加えてしまっているという一面がある。
【０００５】
そこで本考案では、従来技術における無機質な外観の掲示用具に対して、本来的機能を維持したまま、一方では、ときに無機質な室内などの視覚面に華を添え、自身美観を持ち、掲示物を引き立てることもできる構造を与えることを考えていった。その結果として、離れている際は目立たないが、掲示物を目視するために近づき、掲示用具に注目した際に美観を視覚に強く訴えることのできる小型ながらも効果的な装飾を施した掲示用具であって、視覚的刺激を通じて掲示物自体にも注目を集め、掲示物に対しての案内の役割を果たすという掲示用具を提供することを課題とした。
【課題を解決するための手段】
【０００６】
前述の問題を解決するため、本考案に係る掲示用具は、次のような手段を採用する。
【０００７】
すなわち、請求項１に記載の掲示用具では、被取付面にペーパー類などの掲示物を取り付ける取付部を有するとともに、目視できる表面部を有する掲示用具において、上記表面部にデザインを施したデザイン層を設け、上記デザイン層の表面に透視可能な材料からなるトップコート層を積層したことを特徴とする。
【０００８】
そして、この掲示用具では、デザイン層が装飾性を主に提供し、トップコート層は、デザイン層を目視できる状態で表面層に強固に固着し保護する。これらの層は、従来技術における掲示用具の表面の一部にのみ施され、従来の掲示用具以上に掲示物よりも目立つあるいは掲示物の目視を妨げるといったことがない。
【０００９】
請求項２に記載の掲示用具では、被取付面にペーパー類などの掲示物を取り付ける取付部を有するとともに、目視できる表面部を有する掲示用具において、上記表面部に蓄光性蛍光材料からなるＮ層を設け、上記Ｎ層の表面にデザインを施したデザイン層を設け、上記デザイン層の表面に紫外線硬化材料からなるトップコート層を積層したことを特徴とする。
【００１０】
そして、この掲示用具では、昼間や照明下に置かれている間にＮ層の蓄光性蛍光材料が蓄光し、その後、夜間や非照明下に置かれた際に発光し装飾性を増幅させ、夜間や非照明下において位置を確認しやすくする。
【００１１】
請求項３に記載の掲示用具では、デザイン層として押し花を設けたことを特徴とする。
【００１２】
そして、この掲示用具では、主に室内の人工的な光景において用いられることの多い掲示用具において、自然素材である押し花を用いることで、小さな領域に施された装飾であっても注視した際に美的感覚に強く訴えかける。
【００１３】
請求項４に記載の掲示用具では、蓄光性蛍光材料には励起ピーク波長３２０〜３７０ｎｍを持つ材料を用いたことを特徴とする。
【００１４】
そして、この掲示用具では、紫外線硬化塗料が硬化する波長が含まれる、３２０−３７０ｎｍに励起波長を持つ蓄光性蛍光材料をＮ層に用いることで、同じ紫外線によって硬化するトップコート層の硬化に伴って、Ｎ層の蓄光を起こすことができる。
【００１５】
請求項５に記載の掲示用具では、トップコート層に用いる紫外線硬化材料には３５０〜３８０ｎｍの波長の照射によって硬化する材料を用いたことを特徴とする。
【００１６】
そして、この掲示用具では、一般的な工業用などの紫外線照射装置が照射する波長に近い３５０〜３８０ｎｍを硬化波長に持つ紫外線硬化材料を用いることで、製造工程にこれらの装置を応用することができる。
【考案の効果】
【００１７】
以上のことから、本考案の請求項１に係る掲示用具によれば、表面部の小さな範囲を覆う形で設けられたデザイン層は、離れている際や注視していない際は、従来の掲示用具と同様に目立たないが、接近して注視した際には、デザイン性を視覚に訴え、それ自体が掲示された装飾品として、また掲示にあたってワンポイントとなり、掲示物の内容に注目を集める契機になるという効果を持つ。
【００１８】
さらに、トップコート層はデザイン層を強固に固着し保護するため、デザイン層に植物性素材のような柔らかい素材、剥がれやすい塗料、外圧に弱い繊細な彫刻など、破損しやすい技術も用いることが可能となり、幅広い種類のデザインを施すことができる。また、トップコート層の透視可能な素材に覆われることでデザイン層が立体的に、陰影が強まって見える。さらにトップコート層自体にも、デザイン層と相乗効果を持つ彩色などの装飾を与えることもできる。
【００１９】
また、本考案の請求項２に係る掲示用具によれば、非照明下でＮ層から発せられる光により、デザイン層とトップコート層が表面層側から照らし出され、両層による相乗効果で立体的に見える効果が顕著に現れる。また、Ｎ層には光を当てた直後に弱い蛍光を放つのみの蛍光塗料でなく、蓄光性蛍光材料を用いることで、短時間の照射により強い光度と長い残光時間を持続し、発光の効果をさらに高いものとする。
【００２０】
さらに、非照明下においてＮ層の発光が掲示用具の位置を際立たせることは、掲示物に注目を集め、目立ちやすくする効果もある。これは、掲示用具としての機能という面から見ても、従来技術における掲示用具にかつてない顕著な利点である。対して、Ｎ層の体色は昼間や照明下においては周囲の光景や掲示物に対して目立ちすぎることがなく、また表面層の素材に対する下地塗りとしての効果を持ち、取り付けに用いている際に掲示物、特にペーパー類と色彩および質感が近く、従来の掲示用具に比べても光景に溶け込むことができる。
【００２１】
さらに、この掲示用具では紫外線によってＮ層の蓄光とトップコート層の硬化がともに促進するため、製造時には紫外線の照射によってトップコート層を素早く均一に硬化させることができ、工程を簡略化することができ、また大量に製造するにも向く。使用時においても、日照や照明によるＮ層の蓄光に伴って、また非照明下でのＮ層の発光によっても、トップコート層の硬化の促進が起こる。一方で、紫外線硬化材料には硬化剤としての揮発性の溶媒などを含まない材料を用いることができ、製造時および製造後の残留溶媒もなく、安全性にもすぐれている。
【考案を実施するための最良の形態】
【００２２】
以下、本考案に係る掲示用具の実施の形態を図面に基づいて説明する。
図１は、本考案に係る掲示用具の実施の形態（１）の斜視図を示し、図２は図１のＡ−Ａ線に沿う断面図を示す。
【００２３】
掲示用具として、画鋲１を例示して説明する。この画鋲１は、市販の画鋲の、円盤状のボディ２の一方の平面で針３を持つ側を取付部４とし、他方の平面に目視できる表面部５を持つ。そして、表面部５に、円盤の上に配置される形で設けられたデザイン層６、その上に積層されたトップコート層７から構成されている。
【００２４】
デザイン層６は、デザインを施された層で、注視した際にのみ効果的な装飾効果を提供する。塗料層８はデザイン層を金属表面に接着しやすくし、掲示物や周囲の光景に違和感ない色彩を与えるそれ自体デザインの効果も担うものであるが、省くことも、また全面にも部分にも施すこともできる。デザイン層６は塗料層８の上に、接着剤層９によって接着される。
【００２５】
この図に示した例では、塗料層８にはトール＆ステンシル用ペイント塗料を画鋲表面部５の全面に塗布し、デザイン層６の押し花には、市販の苗を育て採取した花を、市販の押し花用乾燥マット、ついでラップで挟み５ｋｇ前後の重しを載せて１週間程度押して作成したものを、積層可能な大きさに切り整えたものを使用している。接着剤層９は、デザイン層６の押し花の色彩を損ねることがないよう、乾燥後に透明となる木工用ボンドを、最低限の量のみ用いている。
【００２６】
次に、トップコート層７は、透視可能な材料による層であり、デザイン層６を充分な厚みで保護するため、さらに透視した際の立体的な効果を高める目的で、その表面が曲面状になるように積層されている。
【００２７】
この図に示した例では、トップコート層７には日光にあてることで数十分〜２時間前後で硬化させることができる紫外線硬化樹脂、押し花用の液状ポリエチレン樹脂「ニューサンクリスタルＵＶ」（コニシ株式会社）を用いている。他にも、工程でデザイン層６を破損しないようなものならば、素材を問わず用いることができ、常温で自然乾燥によって硬化する塗装面コーティング用の透明アクリル樹脂や、６０℃程度で硬化する透明な熱硬化樹脂なども選ぶことができる。
【００２８】
なお、画鋲１には、ボディ２、針３とも金属製からなる画鋲を用いることができるが、着色成型された樹脂製のボディを持つ画鋲を用いることもできる。
【００２９】
図３に示すように、この画鋲１は、ちょうど掲示物Ｂの文字や細部などを閲覧することができるほど近づいた際に、拡大図の部分に示すように押し花のデザインを目視することができる。逆に、画鋲１の装飾に注意を向けて近づいた閲覧者に対して、掲示物Ｂの内容に注目させる作用も及ぼす。
【００３０】
この実施の形態（１）によれば、特に室内のような人工的光景の中にあっては、自然物である花のデザイン、さらには実物の植物をそのまま用いて作られた押し花は、新鮮な印象を与え、美意識のみならず安心感に強く訴えかける効果を発揮する。また、押し花は本来破損しやすく、長期の保存にも手のかかる素材であり、また装飾としての使用時には、接着剤などの手段および限られた接着箇所で表面部に固着されるのみでは表面部から剥がれやすいが、本掲示用具ではデザイン層６がトップコート層７により固定され、保護されて物理的破損、さらには時間による劣化から守られるという効果がある。また、トップコート層７のデザイン層を立体的に見せる効果は、自然素材である花の繊細なデザインに対しては特に有効である。これらの理由から、押し花は本掲示用具の利点をきわめて顕著に生かすことのできる素材である。
【００３１】
また、この実施の形態（１）は手作りで製作する素材や入手しやすい素材、特殊な機材を必要としない製造法を用いており、それらを準備せずとも容易に実施することができることも特色とする。特に押し花は、株ごとに形状と色彩が異なり、それぞれの繊細なデザインに応じて吟味し製作することで多様、多彩な製品とすることができるため、手作りによってはその利点を最大限に生かすことができ、この実施形態を選択することが特に有効である。
【００３２】
次に、図４は、本考案に係る実施の形態（２）の断面図を示す。なお、図１、図２とは同一符号は同等部分を示すので、重複説明を省略する。
【００３３】
この実施の形態（２）では、掲示用具として画鋲１を例示して説明する。この画鋲１は、表面部５を覆う形で設けられた塗料層８、その上に積層されたＮ層１０、その上に設けられたデザイン層６、その上に紫外線硬化トップコート層１１を積層されている。
【００３４】
Ｎ層１０は、蓄光性蛍光材料からなる層であり、塗料の形態になっているものを、光の照射に対して充分に蓄光できるように、例えば０．５−１ｍｍ前後の厚みを持たせて表面部５の全面に塗布されている。
【００３５】
図に示す例においては、Ｎ層１０には、ＳｒＡｌ２Ｏ４を主成分とし、励起ピーク波長が３６５ｎｍ、発光波長が５２０ｎｍの、市販の商品名「Ｎ夜光」（根本特殊化学工業）Ｇ−３００シリーズの煉り込み樹脂ペレットを積層している。なお、Ｎ層１０は表面部５の金属面に対する下地塗りも兼ねるため、塗料層８は省略してもよい。
【００３６】
紫外線硬化トップコート層１１は、紫外線硬化材料からなる透視可能な層で、図１のトップコート層７と同様の構成で積層されている。
【００３７】
図に示す例では、紫外線硬化トップコート層１１には、３６５ｎｍ前後の紫外線照射によって５分前後で硬化する、市販の商品名「ニューサンクリスタルＵＶ」（コニシ株式会社）を用い、工業用の紫外線照射装置を用いて硬化させている。
【００３８】
この実施の形態（２）では、Ｎ層１０の蓄光性蛍光塗料の励起波長と、紫外線硬化トップコート層１１の紫外線硬化塗料の硬化波長がともに３６５ｎｍであるため、製造過程の紫外線硬化トップコート層１１の硬化と共に、Ｎ層の蓄光を起こすことができる。また、Ｎ層１０には放射性の夜光顔料ではなく、非放射性の蓄光性蛍光塗料を用いることで、特殊な設備でなく、日常的な環境で製造することが可能である。
【００３９】
昼間や照明下では、外部から照射される光のうち、紫外線にあたる波長の光１２が、紫外線硬化トップコート層１１の硬化を強める効果がある。また、紫外線硬化トップコート層１１は透明であるため、紫外線硬化トップコート層１１を通過してＮ層１０に到達した紫外線１２が、蓄光性蛍光材料を蓄光させる。また夜間や非照明下では、この例で用いている蓄光性蛍光塗料の発光波長は主に５２０ｎｍであるため、Ｎ層１０から発せられる光の放射は紫外線波長１２をも含み、紫外線硬化トップコート層１１の紫外線硬化材料を若干ずつ硬化させる効果を及ぼす。
【００４０】
従って、紫外線硬化トップコート層１１の硬化が、昼間は日光や照明により外側から、夜間はＮ層１０からの発光によって内側から起こることとなり、紫外線硬化トップコート層１１は表面と内部でより均一に硬化される。
【００４１】
なお、この実施の形態（２）ではこの光の作用が最も効果的と思われる構造として、Ｎ層１０の蓄光波長、紫外線硬化トップコート層１１の硬化波長ともに、工業用装置などで照射される紫外線波長の主要波長とされる３６５ｎｍを選択しているが、一般に紫外線の波長には幅があるため、Ｎ層１０の蓄光波長、紫外線硬化トップコート層１１の硬化波長は３６５ｎｍでなくとも、また両波長が一致していなくとも効果は得られる。例えば、Ｎ層１０にピーク波長３２５ｎｍに近い励起ピーク波長を持つ材料を用いて製作することも充分に可能である。
【００４２】
次に、図５は、本考案に係る掲示用具の実施の形態（３）の断面図を示す。なお、図１、図２とは同一符号は同等部分を示すので、重複説明を省略する。
【００４３】
この実施の形態（３）では、掲示用具として着磁取付具１３を例示して説明する。この着磁取付具１３は、円盤状の取付具の一方の平面にマグネットによる取付部１５と、もう一方の表面部５を持ち、表面部５を覆う形で設けられたビーズ製デザイン層１６と、その上に積層された色付トップコート層１７から構成されている。
【００４４】
ビーズ製デザイン層１６は、ビーズからなる装飾を主に提供する層である。塗料層８の下地塗りの上に、接着剤層９を、例えば１−２ｍｍ程度分厚く重ね、そこにビーズを埋め込み固定する形で設置している。
【００４５】
図５に示す例では、ビーズ製デザイン層１６には球状や多面体の、様々な形状と成型色による、直径数ミリの樹脂製のビーズを十数個、接着剤層９の上に均一に配置し接着かつ固定している。接着剤層９は全体の色彩を生かせるよう無色透明のエポキシ系接着剤を用い、塗料層８の全面を覆う形で分厚く積層されている。
【００４６】
色付トップコート層１７は、ビーズ製デザイン層１６と調和する色彩をもつ半透明の樹脂からなる層で、図１のトップコート層７と同様の構成で積層されている。
【００４７】
図５に示す例では、色付トップコート層１７はコーティング用の透明アクリル樹脂で、着色された半透明のものを用いている。
【００４８】
マグネットによる取付部１５は、円盤状のマグネット１５が、１ｍｍ程度直径の大きい磁性体のヨーク１９、さらに樹脂製のカバー２０で、片方の平面を残して覆われた構造をとっている。各部品は接着剤９で接着されている。
【００４９】
この実施の形態（３）では、マグネットによって磁性体の被取付面、すなわち金属の掲示板や壁面などに取り付けることができる。着磁取付具は一般に、実施の形態（１）（２）に用いたような画鋲よりも大型であるため、より幅広いデザインも選択できる。図に示した例でのビーズは、模様状に配置するなどのデザインもとることができ、ビーズ間の間隔の広さでより立体的に見える。デザイン層にはビーズ製デザイン層１６にはビーズを、接着剤層９を一面に塗布して多数配置するのみの単純な製法をとることができ、色付トップコート層１７の半透明の材料を用いてビーズの色を引き立てることで、容易に装飾効果を増幅している。これらの構造から、部品などを一つずつ選択し接着する手法に比べて製造が簡易であり、大量生産にも適する。
【００５０】
次に、図６は、本考案に係る掲示用具の実施の形態（４）の断面図を示す。なお、図１、図２とは同一符号は同等部分を示すので、重複説明を省略する。
【００５１】
この実施の形態（４）では、掲示用具として着磁取付具１２を例示して説明する。この着磁取付具１３は、片側に平面をもち、別の面に平面ないし緩やかな曲面を持つマグネット１８の、平面を取付部１５、別の片方の平面ないし曲面を表面部５とする。そして、その表面に設けられた紫色Ｎ層２１、その上に設けられたフィルム製デザイン層２２、その上に積層された紫外線硬化トップコート層１１から構成されている。
【００５２】
紫色Ｎ層２１は、発光によって半透明のフィルム製デザイン層２２の色合いを変えることも目的としたもので、図４のＮ層１０と同様の構成で表面部５に塗布されているが、特に紫など鮮やかな発色を持つ塗料を用いたものである。
【００５３】
フィルム製デザイン層２２は、半透明の薄層で、デザインが描かれたものである。隅などを接着部位に用い、必要最低限の量の接着剤を用いた接着剤層９で、紫色Ｎ層２１に接着されている。
【００５４】
図に示す例では、紫色Ｎ層２１には、ＣａＡｌ２Ｏ４を主成分とし励起ピーク波長３２５ｎｍで、体色が白色、蛍光が４４０ｎｍで紫色の、市販の商品名「Ｎ夜光」（根本特殊化学工業）Ｖ−３００シリーズの煉り込み樹脂ペレットを積層している。フィルム製デザイン層２２には、半透明のフィルムで図案が描かれた印刷物を接着剤９で貼り付けている。
【００５５】
この実施の形態によれば、紫色Ｎ層２１をフィルム製デザイン層２２のフィルムの真下に設けてあるため、非照明下では蛍光によって半透明のフィルムの図案が浮かび上がる。また紫色Ｎ層２１に、体色が白色、蛍光が紫色のものを用いているため、昼間はフィルムの色彩は元の素材と変わらないが、夜間は蛍光で照らし出されて色合いが大きく異なって見え、独自の装飾効果が得られる。既存の掲示用具に積層を施すのではなく、任意の形状および大きさのマグネット１８を用いて製造するため、フィルム製デザイン層２２も多様な形状や大きさにすることができ、簡便に作成することができる。
【００５６】
次に、図７は、本考案に係る掲示用具の実施の形態（５）の断面図を示す。なお、図１、図２とは同一符号は同等部分を示すので、重複説明を省略する。
【００５７】
この実施の形態は、図５に示す実施の形態（３）と同様に実施し、トップコート層の表面を平面となるよう形成しているものである。表面を平面とすることで、掲示用具を取り付ける、押し込むなどの操作が行いやすくなる。またトップコート層が平面なので、デザイン層を外から目視する場合やＮ層からの蛍光が発せられる際に光の屈折が少なく、デザイン層はトップコート層がない場合に近いデザインに見える。精密なデザインや平面的な文字のデザインなど、デザイン層のデザインをよりそのまま生かしたい場合に、特に適している。
【図面の簡単な説明】
【００５８】
【図１】本考案に係る掲示用具の実施の形態（１）を示す斜視図である。
【図２】図１のＡ−Ａ線の断面図である。
【図３】本考案に係る掲示用具の実施の形態（１）の使用例である。
【図４】本考案に係る掲示用具の実施の形態（２）を示す断面図である。
【図５】本考案に係る掲示用具の実施の形態（３）を示す断面図である。
【図６】本考案に係る掲示用具の実施の形態（４）を示す断面図である。
【図７】本考案に係る掲示用具の実施の形態（５）を示す断面図である。
【符号の説明】
【００５９】
１     画鋲
２     ボディ
３     針
４     取付部
５     表面部
６     デザイン層
７     トップコート層
８     塗料層
９     接着剤層
１０   Ｎ層
１１   紫外線硬化トップコート層
１２   紫外線
１３   着磁取付具
１５   マグネット取付部
１６   ビーズ製デザイン層
１７   色付トップコート層
１８   マグネット
１９   ヨーク
２０   カバー
２１   紫色Ｎ層
２２   フィルム製デザイン層
Ｂ      掲示物
【図１】
0003138413.tif 000003
【図２】
0003138413.tif 000004
【図３】
0003138413.tif 000005
【図４】
0003138413.tif 000006
【図５】
0003138413.tif 000007
【図６】
0003138413.tif 000008
【図７】
0003138413.tif 000009